(57)【要約】【課題】従来とは異なる構造により、各部材を簡単迅速に組立や分解ができ、しかも連結強度の高い組立式家具を提供する。【解決手段】底板１０と左側側板１２と右側側板１４と天板１６とを有したロ型筐体を具備する組立式家具であって、Ｌ字状連結部材２０，２０’の一辺部が前記底板の左側縁部と右側縁部に予め装着されているか又は装着可能であり、前記底板には、左側縁部と右側縁部とに夫々２個以上のＬ字状連結部材が装着され、Ｌ字状連結部材が装着された状態において、前記底板に設けた各Ｌ字状連結部材の他辺部は上方に向かって立設していると共に、該他辺部の板面は左右方向に広がっており、該他辺部の板面には、上下方向に沿った凹条又は凸条の連結部材側係合部が形成されており、左側側板と右側側板には前記連結部材側係合部と係合する凸条又は凹条の板側係合部を設けているよう構成する。【選択図】図１
2007209670.tif 000002
【特許請求の範囲】
【請求項１】
底板（１０）と左側側板（１２）と右側側板（１４）と天板（１６）とを有したロ型筐体を具備する組立式家具であって、
Ｌ字状連結部材（２０，２０’）の一辺部（２０Ａ）が前記底板の左側縁部と右側縁部に予め装着されているか又は装着可能であり、
前記底板には、左側縁部と右側縁部とに夫々２個以上のＬ字状連結部材が装着され、
Ｌ字状連結部材が装着された状態において、前記底板に設けた各Ｌ字状連結部材の他辺部（２０Ｂ）は上方に向かって立設していると共に、該他辺部の板面は左右方向に広がっており、
該他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項２】
底板（１０）と左側側板（１２）と右側側板（１４）と天板（１６）とを有したロ型筐体を具備する組立式家具であって、
Ｌ字状連結部材（２０，２０’）の一辺部（２０Ａ）が前記天板の左側縁部と右側縁部に予め装着されているか又は装着可能であり、
前記天板には、左側縁部と右側縁部とに夫々２個以上のＬ字状連結部材が装着され、
Ｌ字状連結部材が装着された状態において、前記天板に設けた各Ｌ字状連結部材の他辺部（２０Ｂ）は下方に向かって立設していると共に、該他辺部の板面は左右方向に広がっており、
該他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項３】
底板（１０）と左側側板（１２）と右側側板（１４）と天板（１６）とを有したロ型筐体を具備する組立式家具であって、
Ｌ字状連結部材（２０，２０’）の一辺部（２０Ａ）が前記底板の左側縁部と右側縁部に予め装着されているか又は装着可能であり、
前記底板には、左側縁部と右側縁部とに夫々２個以上のＬ字状連結部材が装着され、
Ｌ字状連結部材が装着された状態において、前記底板に設けた各Ｌ字状連結部材の他辺部（２０Ｂ）は上方に向かって立設していると共に、該他辺部の板面は左右方向に広がっており、
Ｌ字状連結部材の一辺部が前記天板の左側縁部と右側縁部に予め装着されているか又は装着可能であり、
前記天板には、左側縁部と右側縁部とに夫々２個以上のＬ字状連結部材が装着され、
Ｌ字状連結部材が装着された状態において、前記天板に設けた各Ｌ字状連結部材の他辺部（２０Ｂ）は下方に向かって立設していると共に、該他辺部の板面は左右方向に広がっており、
前記各Ｌ字状連結部材の他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項４】
底板（１０）と左側側板（１２）と右側側板（１４）と天板（１６）とを有したロ型筐体を具備する組立式家具であって、
Ｌ字状連結部材（２０，２０’）の一辺部（２０Ａ）が前記左側側板か右側側板かの一方又は両方の下側縁部と上側縁部に予め装着されているか又は装着可能であり、
前記一方又は両方には、下側縁部と上側縁部とに夫々２個以上のＬ字状連結部材が装着され、
Ｌ字状連結部材が装着された状態において、前記一方又は両方に設けた各Ｌ字状連結部材の他辺部（２０Ｂ）は左右方向に突設していると共に、該他辺部の板面は上下方向に広がっており、
該他辺部の板面には、左右方向に沿った凹条又は凸条の連結部材側係合部（２０Ｊ）が形成されており、
底板と天板には前記連結部材側係合部と係合する凸条又は凹条の板側係合部（１２Ｊ）を設けている
ことを特徴とする組立式家具。
【請求項５】
底板（１０）と左側側板（１２）と右側側板（１４）と天板（１６）と背板（１８）とを有した筐体を具備する組立式家具であって、
左側側板と背板と右側側板とがコ字状に連続しているか、或いは予め連結されているか又は連結可能であり、
Ｌ字状連結部材（２０，２０’）の一辺部（２０Ａ）が前記底板の左側縁部と右側縁部に予め装着されているか又は装着可能であり、
前記底板には、左側縁部と右側縁部とに夫々２個以上のＬ字状連結部材が装着され、
Ｌ字状連結部材が装着された状態において、前記底板に設けた各Ｌ字状連結部材の他辺部（２０Ｂ）は上方に向かって立設していると共に、該他辺部の板面は左右方向に広がっており、
該他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項６】
底板（１０）と左側側板（１２）と右側側板（１４）と天板（１６）と背板（１８）とを有した筐体を具備する組立式家具であって、
左側側板と背板と右側側板とがコ字状に連続しているか、或いは予め連結されているか又は連結可能であり、
Ｌ字状連結部材（２０，２０’）の一辺部（２０Ａ）が前記天板の左側縁部と右側縁部に予め装着されているか又は装着可能であり、
前記天板には、左側縁部と右側縁部とに夫々２個以上のＬ字状連結部材が装着され、
Ｌ字状連結部材が装着された状態において、前記天板に設けた各Ｌ字状連結部材の他辺部（２０Ｂ）は下方に向かって立設していると共に、該他辺部の板面は左右方向に広がっており、
該他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項７】
底板（１０）と左側側板（１２）と右側側板（１４）と天板（１６）と背板（１８）とを有した筐体を具備する組立式家具であって、
左側側板と背板と右側側板とがコ字状に連続しているか、或いは予め連結されているか又は連結可能であり、
Ｌ字状連結部材（２０，２０’）の一辺部（２０Ａ）が前記底板の左側縁部と右側縁部に予め装着されているか又は装着可能であり、
前記底板には、左側縁部と右側縁部とに夫々２個以上のＬ字状連結部材が装着され、
Ｌ字状連結部材が装着された状態において、前記底板に設けた各Ｌ字状連結部材の他辺部（２０Ｂ）は上方に向かって立設していると共に、該他辺部の板面は左右方向に広がっており、
Ｌ字状連結部材の一辺部が前記天板の左側縁部と右側縁部に予め装着されているか又は装着可能であり、
前記天板には、左側縁部と右側縁部とに夫々２個以上のＬ字状連結部材が装着され、
Ｌ字状連結部材が装着された状態において、前記天板に設けた各Ｌ字状連結部材の他辺部（２０Ｂ）は下方に向かって立設していると共に、該他辺部の板面は左右方向に広がっており、
前記各Ｌ字状連結部材の他辺部の板面には、上下方向に沿った凹条又は凸条の連結部材側係合部（２０Ｊ）が形成されており、
左側側板と右側側板には前記連結部材側係合部と係合する凸条又は凹条の板側係合部（１２Ｊ）を設けている
ことを特徴とする組立式家具。
【請求項８】
底板（１０）と左側側板（１２）と右側側板（１４）と天板（１６）と背板（１８）とを有した筐体を具備する組立式家具であって、
左側側板と背板と右側側板とがコ字状に連続しているか、或いは予め連結されているか又は連結可能であり、
Ｌ字状連結部材の一辺部が前記左側側板か右側側板かの一方又は両方の下側縁部と上側縁部に予め装着されているか又は装着可能であり、
前記一方又は両方には、下側縁部と上側縁部とに夫々２個以上のＬ字状連結部材が装着され、
Ｌ字状連結部材が装着された状態において、前記一方又は両方に設けた各Ｌ字状連結部材の他辺部は左右方向に突設していると共に、該他辺部の板面は上下方向に広がっており、
該他辺部の板面には、左右方向に沿った凹条又は凸条の連結部材側係合部が形成されており、
底板と天板には前記連結部材側係合部と係合する凸条又は凹条の板側係合部を設けている
ことを特徴とする組立式家具。
【請求項９】
前記連結部材側係合部は、その横断面形状に連結部材側傾斜部を設けており、該連結部材側傾斜部に対応して、前記板側係合部は、その横断面形状に板側傾斜部を設けている請求項１〜８の何れか１記載の組立式家具。
【発明の詳細な説明】
【技術分野】
【０００１】
本発明は、使用者が組み立てて使用したり、メーカーの製造工程における組立時に、溶接、接着、折り曲げ等を伴わないで簡便に組み立てられる組立式家具に関する。
【背景技術】
【０００２】
本出願人による下記特許文献１には、組立式の家具としての収納庫をＬ字状の連結具を使用して組み立てる構造が開示されている。この文献１に開示の構造では、組み付け前に、各部材が自立して保持できないため、これを解消すべく下記特許文献２に簡単迅速に組立や分解ができる組立式筐体の構造が開示されている。
【特許文献１】特開２００３−７０５６０号公報
【特許文献２】特開２００５−４６２２１号公報
【発明の開示】
【発明が解決しようとする課題】
【０００３】
本願では上記特許文献２とは異なる構造により、各部材を簡単迅速に組立や分解ができ、しかも連結強度の高い組立式家具を提供する。
【課題を解決するための手段】
【０００４】
第１の発明では、底板と左側側板と右側側板と天板とを有したロ型筐体を具備する組立式家具であって、Ｌ字状連結部材の一辺部が前記底板の左側縁部と右側縁部に予め装着されているか又は装着可能であり、前記底板には、左側縁部と右側縁部とに夫々２個以上のＬ字状連結部材が装着され、Ｌ字状連結部材が装着された状態において、前記底板に設けた各Ｌ字状連結部材の他辺部は上方に向かって立設していると共に、該他辺部の板面は左右方向に広がっており、該他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
予め装着されているとは、溶接やリベットによって一体化装着されている場合と、着脱可能なネジ部品等の締結部品によって装着されている場合とを含む。
【０００５】
第２の発明では、底板と左側側板と右側側板と天板とを有したロ型筐体を具備する組立式家具であって、Ｌ字状連結部材の一辺部が前記天板の左側縁部と右側縁部に予め装着されているか又は装着可能であり、前記天板には、左側縁部と右側縁部とに夫々２個以上のＬ字状連結部材が装着され、Ｌ字状連結部材が装着された状態において、前記天板に設けた各Ｌ字状連結部材の他辺部は下方に向かって立設していると共に、該他辺部の板面は左右方向に広がっており、該他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
【０００６】
第３の発明では、底板と左側側板と右側側板と天板とを有したロ型筐体を具備する組立式家具であって、Ｌ字状連結部材の一辺部が前記底板の左側縁部と右側縁部に予め装着されているか又は装着可能であり、前記底板には、左側縁部と右側縁部とに夫々２個以上のＬ字状連結部材が装着され、Ｌ字状連結部材が装着された状態において、前記底板に設けた各Ｌ字状連結部材の他辺部は上方に向かって立設していると共に、該他辺部の板面は左右方向に広がっており、Ｌ字状連結部材の一辺部が前記天板の左側縁部と右側縁部に予め装着されているか又は装着可能であり、前記天板には、左側縁部と右側縁部とに夫々２個以上のＬ字状連結部材が装着され、Ｌ字状連結部材が装着された状態において、前記天板に設けた各Ｌ字状連結部材の他辺部は下方に向かって立設していると共に、該他辺部の板面は左右方向に広がっており、前記各Ｌ字状連結部材の他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
【０００７】
第４の発明では、底板と左側側板と右側側板と天板とを有したロ型筐体を具備する組立式家具であって、Ｌ字状連結部材の一辺部が前記左側側板か右側側板かの一方又は両方の下側縁部と上側縁部に予め装着されているか又は装着可能であり、前記一方又は両方には、下側縁部と上側縁部とに夫々２個以上のＬ字状連結部材が装着され、Ｌ字状連結部材が装着された状態において、前記一方又は両方に設けた各Ｌ字状連結部材の他辺部は左右方向に突設していると共に、該他辺部の板面は上下方向に広がっており、該他辺部の板面には、左右方向に沿った凹条又は凸条の連結部材側係合部が形成されており、底板と天板には前記連結部材側係合部と係合する凸条又は凹条の係合部を設けていることを特徴とする組立式家具を提供する。
【０００８】
第５の発明では、底板と左側側板と右側側板と天板と背板とを有した筐体を具備する組立式家具であって、左側側板と背板と右側側板とがコ字状に連続しているか、或いは予め連結されているか又は連結可能であり、Ｌ字状連結部材の一辺部が前記底板の左側縁部と右側縁部に予め装着されているか又は装着可能であり、前記底板には、左側縁部と右側縁部とに夫々２個以上のＬ字状連結部材が装着され、Ｌ字状連結部材が装着された状態において、前記底板に設けた各Ｌ字状連結部材の他辺部は上方に向かって立設していると共に、該他辺部の板面は左右方向に広がっており、該他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
【０００９】
第６の発明では、底板と左側側板と右側側板と天板と背板とを有した筐体を具備する組立式家具であって、左側側板と背板と右側側板とがコ字状に連続しているか、或いは予め連結されているか又は連結可能であり、Ｌ字状連結部材の一辺部が前記天板の左側縁部と右側縁部に予め装着されているか又は装着可能であり、前記天板には、左側縁部と右側縁部とに夫々２個以上のＬ字状連結部材が装着され、Ｌ字状連結部材が装着された状態において、前記天板に設けた各Ｌ字状連結部材の他辺部は下方に向かって立設していると共に、該他辺部の板面は左右方向に広がっており、該他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
【００１０】
第７の発明では、底板と左側側板と右側側板と天板と背板とを有した筐体を具備する組立式家具であって、左側側板と背板と右側側板とがコ字状に連続しているか、或いは予め連結されているか又は連結可能であり、Ｌ字状連結部材の一辺部が前記底板の左側縁部と右側縁部に予め装着されているか又は装着可能であり、前記底板には、左側縁部と右側縁部とに夫々２個以上のＬ字状連結部材が装着され、Ｌ字状連結部材が装着された状態において、前記底板に設けた各Ｌ字状連結部材の他辺部は上方に向かって立設していると共に、該他辺部の板面は左右方向に広がっており、Ｌ字状連結部材の一辺部が前記天板の左側縁部と右側縁部に予め装着されているか又は装着可能であり、前記天板には、左側縁部と右側縁部とに夫々２個以上のＬ字状連結部材が装着され、Ｌ字状連結部材が装着された状態において、前記天板に設けた各Ｌ字状連結部材の他辺部は下方に向かって立設していると共に、該他辺部の板面は左右方向に広がっており、前記各Ｌ字状連結部材の他辺部の板面には、上下方向に沿った凹条又は凸条の連結部材側係合部が形成されており、左側側板と右側側板には前記連結部材側係合部と係合する凸条又は凹条の板側係合部を設けていることを特徴とする組立式家具を提供する。
【００１１】
第８の発明では、底板と左側側板と右側側板と天板と背板とを有した筐体を具備する組立式家具であって、左側側板と背板と右側側板とがコ字状に連続しているか、或いは予め連結されているか又は連結可能であり、Ｌ字状連結部材の一辺部が前記左側側板か右側側板かの一方又は両方の下側縁部と上側縁部に予め装着されているか又は装着可能であり、前記一方又は両方には、下側縁部と上側縁部とに夫々２個以上のＬ字状連結部材が装着され、Ｌ字状連結部材が装着された状態において、前記一方又は両方に設けた各Ｌ字状連結部材の他辺部は左右方向に突設していると共に、該他辺部の板面は上下方向に広がっており、該他辺部の板面には、左右方向に沿った凹条又は凸条の連結部材側係合部が形成されており、底板と天板には前記連結部材側係合部と係合する凸条又は凹条の板側係合部を設けていることを特徴とする組立式家具を提供する。
【００１２】
第９の発明では、前記連結部材側係合部は、その横断面形状に連結部材側傾斜部を設けており、該連結部材側傾斜部に対応して、前記板側係合部は、その横断面形状に板側傾斜部を設けている第１〜第８の発明の何れか１記載の組立式家具を提供する。
【発明の効果】
【００１３】
第１の発明では、底板に装着されたＬ字状連結部材の立設して、左右方向に広がった他辺部の板面に、上下方向に沿った連結部材側係合部が形成されているため、組み立てに際して、まず、底板を床に置き、この底板のＬ字状連結部材の他辺部の連結部材側係合部に対して、左側側板も右側側板も、夫々の側板の板側係合部を係合させると、各側板は底板に対して前後方向の位置決めができる。従って、こうして位置決めされた状態において、各側板をＬ字状連結部材の他辺部に対して、ネジ類やリベット等の適宜な締結手段によって、一人の作業者によって容易に組み立てできる。その後、天板を取り付ければ、家具のロ型筐体の４面の板部材が組み立てできる。また、ロ型筐体までの組み立てのネジ等の締結や分解では、筐体の正面側からできるが、背側開口からもできる。更には、Ｌ字状連結部材と側板が互いに凹条と凸条によって線状に係合するため、点状の係合と異なり回転が防止され、互いの相対位置がずれ難くて連結強度が向上する。また、必要な場合は、ロ型筐体を形成後に背板も装着する。背板を装着した場合は、分解では筐体正面から行える。
【００１４】
第２の発明では、第１の発明の底板が天板に変わるのであり、組み立て時には、まず、天板の上下を逆にして床に置く。その後は第１の発明の場合と同様にして組み立て、最後に、家具筐体を起こして上下を正す。第１の発明と同様な作用効果である。
第３の発明では、第１の発明の作用効果に加えて、天板を装着させる際にも、天板と各側板との相対位置決めができ、更に組み立てが容易になる。
【００１５】
第４の発明では、底板ではなく、側板にＬ字状連結部材が装着されていたり、予め装着してから組み立てる場合である。実際の組み立てでは、Ｌ字状連結部材を装着した側板を床に載置してから行う。最後に起こして底板を下にするように向きを変える必要があるが、他の作用効果としては第１の発明〜第３の発明の説明と同様である。
【００１６】
第５の発明〜第８の発明は、夫々、順次、第１の発明〜第４の発明に対応する。第１の発明〜第４の発明では、筐体に背板が無い場合があることと、背板が有る場合でも、その背板はロ型筐体を組み立てた後に装着できるが、第５の発明〜第８の発明では、背板を含めてコ字状に一体に連続しているか、或いは各板部材は別部品であるが、予め連結されているか又は予め作業者が連結可能な場合であることが異なる。組み立てに際しては、第１の発明の説明において分解を正面側から行うことができることを述べていることと同様に、正面側から行える。こうした組立時や分解時の容易さや組み立てた際の連結強度向上等に関しても第１の発明〜第４の発明と同様であるため詳述しない。
【００１７】
第９の発明では、連結部材側係合部と板側係合部とが傾斜部を介して係合するので、両係合部の僅かな寸法の狂いを吸収でき、製造が容易になる。また、組立時に、傾斜部がガイド面となって各側板を底板の側方から押し込むことができる。板側係合部を連結部材側係合部と係合させることが可能となる。
【発明を実施するための最良の形態】
【００１８】
図１は、本発明に係る組立式家具の筐体の分解図であり、図２はその筐体の組立の説明図であり、図３は図２の矢視線Ｃ−Ｃによる断面図であり、左側側板と後方部のＬ字状連結部材とを主に示しており、底板の平板部を透視した図であり、図４は図３の矢視線Ｄの方向から見たＬ字状連結部材の正面図である。夫々が矩形状輪郭をした金属板部材からなる底板１０と、左側側板１２と、右側側板１４と、天板１６とでロ型筐体を形成し、更には、背板１８を組み付けて筐体が完成する。本形態例では、底板１０の左側縁部の後方部と前方部との２箇所に金属製Ｌ字状連結部材２０，２０’の一辺部２０Ａを溶接によって装着固定している。また、底板の右側縁部の後方部と前方部との２箇所にもＬ字状連結部材２０’，２０を溶接によって装着固定している。しかし、筐体構成の各板部材とＬ字状連結部材は合成樹脂材等の金属材以外で形成してもよい。また、Ｌ字状連結部材２０’，２０を部品とし、組み立て時に底板１０に装着させる構成としてもよい。
【００１９】
図４に示すのはＬ字状連結部材２０であるが、この部材２０では、後述する凸条である連結部材側係合部２０Ｊが図面の裏側に突出しているが、表側に突出させるとＬ字状連結部材２０’となり、２種類のＬ字状連結部材を使用している。このＬ字状連結部材２０は、一辺部２０Ａを底板１０の補強部１０Ｋにスポット溶接にて固定しており、他辺部２０Ｂが上方に向かって立設している。Ｌ字状連結部材２０’も同様である。更には、各他辺部２０Ｂの板面が左右方向に広がる方向に装着されている。言い換えれば、連結部材側係合部の凸条が筐体の前後方向に突出する状態に装着されている。
【００２０】
天板１６にも、底板に対応する４箇所にＬ字状連結部材２０，２０’を装着固定している。天板の右側縁部で言えば、後方部がＬ字状連結部材２０であり、前方部がＬ字状連結部材２０’であることが底板とは逆の配置である。左側縁部も同様に底板とは逆の配置である。これによって、底板も天板も共に後方部の全てのＬ字状連結部材の連結部材側係合部２０Ｊは後方に向かって突出し、前方部の全てのＬ字状連結部材の連結部材側係合部２０Ｊは前方に向かって突出する。
【００２１】
左側側板１２には、その内側には後方部と前方部とに、断面コ字状の補強部１２Ｋが上下方向に沿って設けられている。右側側板１４も同様である。左側側板１２について言えば、両補強部１２Ｋ同士が対面する夫々の側面部１２ＫＳには、上記Ｌ字状連結部材２０，２０’の連結部材側係合部２０Ｊと係合可能な凹条である板側係合部１２Ｊが設けられている。この形態例では、板側係合部１２Ｊは各側面部１２ＫＳの長さ方向全体に亘って形成されているが、Ｌ字状連結部材と係合可能な位置に部分的に設けられていてもよい。
【００２２】
また、各Ｌ字状連結部材２０，２０’の他辺部２０Ｂの所定位置に孔２０Ｈが設けられており、各補強部１２Ｋの側面部１２ＫＳにも、前記各孔２０Ｈに対応する位置に補強部側の孔１２Ｈが設けられていると共に、その裏側には、ブラケット部材に溶接保持されたナット部材ＮＴが固定配設されている。従って、ネジ部材ＮＪによって締結することができる。既述のように、連結部材側係合部２０Ｊが筐体の前後方向に突出する状態に装着されていると共に、これに合わせて各側板の補強部１２Ｋの側面部１２ＫＳに板側係合部１２Ｊを形成しているので、図２に示すように、下側も上側も、奥側（後方部）の締結や分解では、筐体の前側開口部から容易に行える。また、手前側（前方部）の締結や分解では、背板１８を装着する前に、背側の開口部から容易に行える。
【００２３】
もう少し詳しく組み立ての方法、順序を説明すると、Ｌ字状連結部材２０，２０’を装着した後、又は既に装着されている状態の底板１０を床に載置する。その後、何れか一方の側板、例えば左側側板１２を、各補強部１２Ｋの側面部１２ＫＳを各Ｌ字状連結部材２０，２０’に沿わせるように上方から下ろしつつスライドさせて係合させると、この左側側板の位置決めができる。この状態で、ネジ部材ＮＪで（仮）締結させる。その後、右側側板１４を同様に締結させる。それから天板１６の各Ｌ字状連結部材２０，２０’と各側板の補強部の側面部１２ＫＳとを位置合わせして天板１６を上方から差し込み、各部をネジ締結する。これによってロ型筐体が完成する。その後、図示しない適宜なネジ類締結等によって背板１８を装着させる。こうした作業は、熟練者でなくても一人の作業者で容易にできる。
【００２４】
また、凸条と凹条の係合故、締結時には、各係合部において夫々一個ずつのネジ部材ＮＪでしっかりした締結が可能である。しかし、２個以上を使用してもよい。また、係合部は点状ではなく、凸条と凹条というように長さがあるため、各板部材が相対的に傾くことを防止し、強固な連結係合となる。更には、Ｌ字状連結部材は筐体構成の各板部材１０，１２，１４，１６，１８と異なり、小さな部品であるため、厚肉の部材にしても家具の重量やコストに及ぼす影響が小さく、厚肉化し易い。従って、十分な強度を有するように厚肉形成できるため、これらの部品を使用して各板部材を連結すると、強固な筐体を有する家具となる。
【００２５】
また、この形態例では、Ｌ字状連結部材の凸条の連結部材側係合部２０Ｊの横断面形状は山形状であり、傾斜部を有する一形態といえ、対応する板側係合部１２Ｊも山形状の凹条である。上記の説明では、左右の側板を上方から下ろすようにして係合位置決めさせたが、各係合部２０Ｊ，１２Ｊがこうした傾斜部を有する横断面形状であれば、傾斜部がガイドして、底板１０の側方から各側板を（回転させるようにしつつ）押し込むことによって、板側係合部１２Ｊを連結部材側係合部２０Ｊに係合させることも可能となる。また、傾斜部を介して係合するので、両係合部の僅かな寸法の狂いを吸収でき、製造も容易になる。
【００２６】
通常の筐体を構成する各板部材は、その板部材の薄さから単体では多少の撓み性を有しているため、傾斜部を有するＬ字状連結部材２０，２０’の凸条高さが極端に高くなければ（５ｍｍ程度以下であれば、好ましくは３ｍｍ程度以下であれば）、底板１０の側方から、各側板を押し込むことによって係合させることもできる。実際、実験を行うと可能であった。この実験で使った鋼材の連結部材側係合部２０Ｊの高さは３ｍｍであり、鋼板である各補強部１２Ｋの板厚は０．８ｍｍのものである。また、Ｌ字状連結部材の板厚は３．２ｍｍであり、鋼板である底板、天板、左右の各側板の板厚は０．８ｍｍである。
【００２７】
図５は第４の発明説明用の筐体分解図である。主に第１図の場合と異なる事項を説明し、説明しない事項は同様である。左側側板１２の両補強部１２Ｋの側面部１２ＫＳの上下部に、夫々、Ｌ字状連結部材２０，２０’をスポット溶接で装着固定している。また、この例では、右側側板１４にも同様に装着されている。第１図の底板では直接には図示していないが、裏面側には左側側板に図示している補強部と同様な補強部が存在している。図５ではこの補強部１０Ｋが底板１０の上面側に設けられていることが異なる。この構造の方が、第４発明では組み立てし易いからである。両補強部１０Ｋの互いに対面する側の側面部１０ＫＳの所定位置には補強部側の孔１０Ｈが設けられている。天板１６も、この底板と同様な構造である。
【００２８】
組み立てに際しては、まず、左側側板１２を床に載置し、４個のＬ字状連結部材の他辺部２０Ｂが上方に向かうようにする。その後は、図１の組み立て説明時と同様であり、例えば、まず、天板１６を装着し、次に、底板１０を装着し、その次に、右側側板１４を装着して、ロ型筐体を形成する。その後、底板１０が床に載置される向きに起こす。最後に、背板１８を適宜手段にて装着させて家具の筐体を完成させる。作用効果も図１の場合と同様である。
【００２９】
図６は第５の発明〜第８の発明の前提となるコ字状連続部材の斜視図であり、左側側板１２と右側側板１４と背板１８とが連続成形されている。この他、夫々別体の板部材である左側側板１２と右側側板１４とが蝶番式やその他の適宜な連結形態によって、夫々、背板１８に対して折りたたみ可能に連結されたコ字状連結部材であってもよい。従って、図１の場合等で説明したように、筐体の組み立てにおいて背板１８を最後に装着させるのではなく、底板や天板を装着させる前に、予めコ字状連続（連結）部材が構成されている前提であり、これが図１や図５の場合と異なる。その他、底板又は天板を装着させる組立作業においては、締結は後側からの作業ができず、通常、正面開口からだけ行うことが異なる。使用するＬ字状連結部材２０，２０’も同じであり、その他の事項も図１〜図５を参照して説明した上述の場合と同様であるので、底板と天板の図示や、各種説明を省略する。ただ、コ字状連続部材を図６の状態に床に載置してから組み立てることもでき、この場合は、天板から装着し、その後、上下を逆にしてから底板を装着させ、最後に起こして完了させる。
【００３０】
以上のＬ字状連結部材２０の一辺部２０Ａにも他辺部２０Ｂの連結部材側係合部２０Ｊと同様な係合部を設け、該他辺部を装着させる板部材側に、対応係合する板側係合部を設けてもよい。こうすればより強固な連結が可能となる他、これをネジ部品で締結する場合、ネジ部品を２個以上使用することなく、１個で済む。
【００３１】
以上の形態例の凸条と凹条とが互いに逆になってもよいことは勿論である。更には、底板と天板には、左右の各側に２個ずつのＬ字状連結部材を使用しているが、各側の中間に１個以上のＬ字状連結部材を装着して、更に強固な筐体にすることもできる。また、本願では、底板のみに本発明に係るＬ字状連結部材を装着した（装着できる）組立式家具であってもよく、天板のみに本発明に係るＬ字状連結部材を装着した（装着できる）組立式家具であってもよい。また、側板のみにＬ字状連結部材を装着した（装着できる）組立式家具であってもよい。更には、各側板においてもＬ字状連結部材においても、各係合部の凹条、凸条の長さは適宜長さでよく、側面部１２ＫＳの全長ではなくて一部でもよく、Ｌ字条連結部材においても、その他辺部２０Ｂの一部分でもよい。
【産業上の利用可能性】
【００３２】
本発明は、ロ型筐体を有する書庫等の家具に利用できる。
【図面の簡単な説明】
【００３３】
【図１】図１は本発明に係る組立式家具の筐体の分解図である。
【図２】図２は図１の筐体の組立の説明図である。
【図３】図３は図２の矢視線Ｃ−Ｃによる断面図であり、左側側板と後方部のＬ字状連結部材とを主に示しており、底板の平板部を透視した図である。
【図４】図４は図３の矢視線Ｄの方向から見たＬ字状連結部材の正面図である。
【図５】図５は本発明に係る他の形態の組立式家具筐体の分解図である。
【図６】図６は本発明に係る他の形態の組立式家具筐体の一部の斜視図である。
【符号の説明】
【００３４】
１０                  底板
１０Ｋ                補強部
１２                  左側側板
１２Ｊ                板側係合部
１２Ｋ                補強部
１４                  右側側板
１６                  天板
１８                  背板
２０，２０’          Ｌ字状連結部材
２０Ａ                一辺部
２０Ｂ                他辺部
２０Ｊ                連結部材側係合部
【図１】
2007209670.tif 000003
【図２】
2007209670.tif 000004
【図３】
2007209670.tif 000005
【図４】
2007209670.tif 000006
【図５】
2007209670.tif 000007
【図６】
2007209670.tif 000008